(57)【要約】【課題】本発明は、脱臭及び還元による分解能に優れた多孔体及びこれを用いたフィルターの提供を目的とする。【解決手段】脱臭・還元性多孔体は、還元性金属イオンとキレート剤とが含まれる溶液を多孔体に、付着又は混合することにより得られることを特徴とする。多孔体は、金属製多孔体、ガラス製多孔体、セラミックス製多孔体、樹脂製多孔体、紙製多孔体のいずれでもよく、溶液には、無機物質の粉末を溶解、あるいは分散したも用いるのがよい。【選択図】  図１
2005304803.tif 000002
【特許請求の範囲】
【請求項１】
還元性金属イオンとキレート剤とが含まれる溶液を、多孔体に、付着又は混合することにより得られることを特徴とする脱臭・還元性多孔体。
【請求項２】
還元性金属イオンとキレート剤とが含まれる溶液に、無機物質を溶解又は分散したものを多孔体に付着又は混合することにより得られることを特徴とする脱臭・還元性多孔体。
【請求項３】
還元性金属イオンは、２価の鉄イオンであることを特徴とする請求項１又は請求項２記載の脱臭・還元性多孔体。
【請求項４】
キレート剤は、アミノカルボン酸又はその塩であることを特徴とする請求項１又は請求項２記載の脱臭・還元性多孔体。
【請求項５】
無機物質の粉末は、セラミックス、天然岩石、焼きミョウバン、硫酸塩、炭酸塩のいずれかを１つ以上含むものであることを特徴とする請求項２記載の脱臭・還元性多孔体。
【請求項６】
多孔体は、金属製多孔体、ガラス製多孔体、セラミックス製多孔体、樹脂製多孔体、紙製多孔体のいずれかであることを特徴とする請求項１〜請求項５のいずれかに記載の脱臭・還元性多孔体。
【請求項７】
請求項１〜請求項６のいずれかの多孔体を用いて製作したことを特徴とする脱臭・還元性フィルター。
【発明の詳細な説明】
【技術分野】
【０００１】
本願発明は、刺激性ガス及び有害ガスを吸着、分解する機能性、あるいは抗菌、滅菌性を有する、多孔体及びフィルターに関する。
【背景技術】
【０００２】
建築用材料として、合成樹脂材料や合成樹脂接着剤が多用されるようになり、それらに含まれている溶剤や含有成分が放出することによる、いわゆるシックハウス症候群が社会的問題になっている。
また、生活空間の殺菌、滅菌による衛生管理も重要な問題となっている。
【０００３】
従来から、ホルムアルデヒド、アンモニア等の刺激性ガス、有害ガスを脱臭、除去する方法が各種提案されている。
【０００４】
また、酸化チタンに代表される光触媒系の分解、滅菌作用物質も各種提案されているが、光触媒系のものは光源が無いか、弱い室内、特に夜間においては分解、除菌、滅菌作用がなくなるという問題があった。
【０００５】
【特許文献１】特開２００２−９６４３４
【発明の開示】
【発明が解決しようとする課題】
【０００６】
本発明は、脱臭及び、還元による分解能に優れた多孔体及びこれを用いたフィルターの提供を目的とする。
【課題を解決するための手段】
【０００７】
本発明の技術的要旨は、還元性金属イオンとキレート剤とが含まれる溶液を多孔体に、付着又は混合することにより得られることを特徴とする脱臭・還元性多孔体にある。
多孔体がセラミックス又は岩石を含むものであれば、還元性金属イオンとキレート剤とが含まれる溶液を多孔体に直接吹き付け又は浸漬、あるいは多孔体の製造過程にて混合しても良い。
【０００８】
しかし、本発明において脱臭及び還元性分解能をより発現するには、還元性金属イオンとキレート剤とが含まれる溶液に無機物質の粉末を分散したものを多孔体に吹き付けや浸漬による付着、あるいは、多孔体の製造過程において混合するのが良い。
無機物質の粉末としては、蛇紋岩、濃飛流紋岩、磁鉄鉱等の岩石や鉱石を粉末にしたもの、各種セラミックス粉末の他に焼きミョウバン、硫酸マグネシウム等の硫酸塩、炭酸塩等であっても良い。
これらは還元性イオンとキレート剤との混合溶液を安定化させる作用があり、多孔体に付着、混合した際にバインダーとしての働きもある。
【０００９】
還元性金属イオンの代表例としては、第１鉄イオン（２価）が挙げられる。
キレート剤の代表例としては、ＥＤＴＡ（エチレンジアミン４酢酸ナトリウム）やＣｙＤＴＡ（trans−１，２−ジアミノシクロヘキサン４酢酸、１水和物）等のアミノカルボン酸又はその塩が挙げられる。
【００１０】
例えば、硫酸第１鉄水溶液にＥＤＴＡを添加した水溶液に、硫酸塩である焼きミョウバン、硫酸マグネシウムを添加し、セラミックスの微粉末を分散させた溶液を金属製の多孔体（多孔質状に成形）に吹き付けた。
硫酸第１鉄を溶解すると、還元性のある２価の鉄イオンがＥＤＴＡによりキレート化合物として安定化し、これに硫酸塩を溶解してさらに安定化する。
これに必要に応じてセラミックス粉末を分散させると、セラミックスの有するマイナスイオン放出効果、遠赤外線放出効果も生じ、多孔体付着時のバインダー的役割もする。
このような多孔体を用いてフィルターを製作し、例えば空調機の吹き込み口に取り付けることができる。
これにより、空調機のフィルターとして作用するだけでなく、生活空間の刺激臭や有害ガスを捕集、分解する。
ここで、多孔体は、金属製多孔体、ガラス製多孔体、セラミックス製多孔体、樹脂製多孔体、紙製多孔体のいずれでもよい。
多孔体とは、３次元の網の目状にしたもの、蜂の巣状、スポンジ状等、多孔質であれば、形状や構造は限定されない。
【発明の効果】
【００１１】
本発明においては、キレート化合物と無機物質（無機塩）を混合したものを多孔体に付着あるいは混合したことにより、捕集された悪臭（刺激性ガス、有害ガス等）がその塩基性、酸性に応じて中和消臭する。
その際に、還元性金属イオンが分解作用を有する。
本発明にかかる多孔体及びそれを用いたフィルターは、光を照射しなくても分解、滅菌作用を有している点にも特徴がある。
【発明を実施するための最良の形態】
【００１２】
本発明に係る多孔体、フィルターの実施例を試験、評価結果とともに以下説明する。
硫酸第１鉄とＥＤＴＡのキレート化合物の水溶液に、セラミックス粉末を分散させたものを多孔質の金属フィルターにスプレー付着した製品を用いたアンモニアガス及びホルムアルデヒドガスの捕集、消臭試験結果を図１のグラフに示す。
試験条件は、容積１０Ｌのテドラーバックに試験ガス８Ｌ及び本発明に係る金属フィルターを入れ、所定時間経過後のテドラーバック内のガス濃度を検知管で測定した。
この際にブランクテストとして、試験ガス８Ｌだけを入れたものも同様に測定した。
図１の試験結果からアンモニア、ホルムアルデヒド濃度が大きく低下し、消臭されることが明らかになった。
図２のグラフには、硫化水素の濃度変化を、図１のものと同様の試験を、明所と暗所においたもので比較した。
なお、対照に示したものはガスのみを入れたもののガス濃度変化である。
この試験結果から本発明に係る多孔体（フィルター）は、光に関係なくガスの捕集、分解作用があることが明らかになった。
図３〜図９には各種ガスの濃度変化を示すが、いずれのガスにおいても脱臭効果が確認できた。
また、本発明に係るキレート化合物を故意に大腸菌を摂取したタオルに吹き付けると、菌数（ｃｆ／ｍＬ）１．４×１０６のものが１０時間後に５０まで滅菌されていた。
【図面の簡単な説明】
【００１３】
【図１】アンモニア及びホルムアルデヒドの試験結果を示す。
【図２】硫化水素の試験結果を示す。
【図３】イソ吉草酸の試験結果を示す。
【図４】フェノールの試験結果を示す。
【図５】酢酸の試験結果を示す。
【図６】トリエチルアミンの試験結果を示す。
【図７】ピリジンの試験結果を示す。
【図８】パラジクロロベンゼンの試験結果を示す。
【図９】アセトアルデヒドの試験結果を示す。
【図１】
2005304803.tif 000003
【図２】
2005304803.tif 000004
【図３】
2005304803.tif 000005
【図４】
2005304803.tif 000006
【図５】
2005304803.tif 000007
【図６】
2005304803.tif 000008
【図７】
2005304803.tif 000009
【図８】
2005304803.tif 000010
【図９】
2005304803.tif 000011